(57)【特許請求の範囲】
【請求項１】
吸収剤構造体および吸収剤構造体を実質的に囲む多層にされたカバーを含んでなるタンポンであって、カバーが液体を保有可能な外層および外層と吸収剤構造体との間に配置された内層を含んでなり、外層が第一の平均孔寸法を有し、内層が第二の平均孔寸法を有し、そして第二の平均孔寸法が第一の平均孔寸法より大きく、内層が、外層と吸収剤構造体との間の流体流の提供および妨害の繰り返しを可能とする構造を備えることにより、外層が吸収剤構造体の飽和前の腟壁の乾きを最少にするのに充分な液体を保有することを特徴とするタンポン。
【請求項２】
吸収剤構造体が第二の平均孔寸法より小さい第三の平均孔寸法を有する、請求項１のタンポン。
【請求項３】
外層が繊維質であり、内層が繊維質である、請求項１のタンポン。
【請求項４】
外層が第一の平均デニールを有する繊維質不織ウェブを含んでなり、内層が第二の平均デニールを有する繊維質不織ウェブを含んでなり、そして第二の平均デニールが第一の平均デニールより大きい、請求項１のタンポン。
【請求項５】
外層がある厚さを有し、内層がある厚さを有し、そして外層の厚さ対内層の厚さの比が１：１〜１：４の間である、請求項３または請求項４のタンポン。
【請求項６】
多層にされたカバーがフォーム材料を含んでなる、請求項１−５のいずれか一項のタンポン。
【請求項７】
内層が開口部のあるフィルムを含んでなる、請求項１のタンポン。
【請求項８】
内層と吸収剤構造体との間に配置された追加の層をさらに含んでなる、請求項１のタンポン。
【請求項９】
吸収剤構造体および吸収剤構造体を実質的に囲む多層にされたカバーを含んでなるタンポンであって、カバーが液体を保有可能な外層および外層と吸収剤構造体との間に配置された内層を含んでなり、外層が内層より親水性が大きい材料を含んでなり、内層が、外層と吸収剤構造体との間の流体流の提供および妨害の繰り返しを可能とする構造を備えることにより、外層が吸収剤構造体の飽和前の腟壁の乾きを最少にするのに充分な液体を保有することを特徴とするタンポン。
【請求項１０】
吸収剤構造体が内層より親水性が大きい材料を含んでなる、請求項９のタンポン。
【請求項１１】
内層が９０°より小さい水との接触角を有する材料を含んでなる、請求項９のタンポン。
【発明の詳細な説明】
【０００１】
発明の分野
本発明は一般的には多層にされたカバーおよび吸収剤芯を有する月経タンポンに関する。カバーの外表面は湿潤可能であり腟壁に対して湿った表面を与えるが、カバーの内側領域は即座の吸収剤芯中への液体の流入を中断させる。この構造が、タンポンが腟壁の表面を乾燥させる(dessicate)可能性を減ずる。
発明の背景
月経タンポンは一般的に月経周期中の女性の月経流体を吸収するために使用される。普通は、月経流量は周期中に変動し、そして周期の始めおよび終わりでは比較的少ない流量の日がしばしばある。少ない流量の日には、タンポンが腟腔内で吸収できる過剰な流体が少なく、そして従来のタンポンは流体をたくさん吸収しすぎることがあり、腟壁または粘膜を乾燥させる。このことは、これらのタンポンの挿入および除去中に不快感を引き起こしうる。
【０００２】
乾燥(dessication)に大いに関係する腟腔の領域は腟粘膜中の細胞の上層である扁平上皮(squamous epithelium)である。非−月経状態では、腟壁は腟の中を通る分泌液により潤滑化され、流体および粘液が子宮頸部から流れそしてホルモン−調節された分泌液が子宮で生成する。腟上皮細胞の自然剥脱も腟腔および扁平上皮中の自然水分に寄与する。
【０００３】
従来のタンポンが月経周期の少ない流量の日に扁平上皮中の細胞間の自然水分を吸収する時には、細胞は早期剥離に対してより敏感にされる。この剥離は剥落と呼ばれ、そしてそれはタンポンの飽和前のその除去中に起きることがありうる。まず、飽和されていない従来のタンポンの最初の取り出しは、従来のタンポンが自然水分を吸収するにつれて扁平細胞の一部がそのタンポンに「結合］しはじめるため、非常に痛くなりうる。次に、従来のタンポンの乾いた吸収剤表面は相対的に乾いた扁平上皮の他の部分に沿って擦れてさらなる苦痛を引き起こしうる。
【０００４】
これらの従来のタンポンはしばしば、内部に吸収剤材料を含有するための吸収剤構造体の表面の大部分に配置されたカバーを有する。そのようなカバーの例はフリース(Friese)の米国特許第４,８１６,１００号に見られ、それは不織カバーを使用する。タンポンカバーを改良するための数種の試みがなされた。１つの試みはジャクソン(Jackson)の米国特許第４,３０５,３９１号に示されており、それはカバーを形成するために２つの包装層の組み合わせを使用する。外側の包装は内側の包装より実質的に大きい孔寸法を有する。その述べるところでは、これにより流体が外側の包装の中をそれが部分的に吸収される前に急速に通りそしてカバーの内側の包装の中をよりゆっくり通ることが可能になる。多孔度勾配または吸引勾配のついたこの配置が従来は使用されており、タンポン内の流体をより良く単離して吸収剤芯からカバーの表面への逆流を減ずる。
【０００５】
タンポンの除去に伴う苦痛を減ずるための別の試みはジャクソン(Jackson)の米国特許第４,３３５,７２２号に開示されている。この試みは超吸収剤材料を含有する強力な吸収剤芯の周りに水分散性の遮蔽層を使用する。この吸収剤構造体を次に例えばレーヨンの如き非−超吸収剤材料で覆う。この構成では、外層が飽和した後にのみ吸収剤芯が利用される。次に、飽和されたカバーからの流体が遮蔽層に分散するために利用できる。しかしながら、遮蔽層に分散されると、従来の吸引圧力勾配は流体をカバーから芯の中に引き込む。
【０００６】
最後に、カズマルジク(Kaczmarzyk)他の米国特許第４,０５６,１０３号は超吸収剤を含有する芯の吸引圧力とうまく競合するのに充分な吸収剤能力および毛管吸引性を有しており、使用中に柔らかい潤滑性状態を保つ流体−透過性カバーを開示している。残念なことに、これらの３つの試みはそれら自身で使用中に扁平上皮を充分乾かして苦痛および傷を引き起こすカバーを使用して液体をタンポン中に強く引き込む従来の毛管吸引圧力勾配を与える。
【０００７】
別の方式がフォリー(Foley)他のＥＰ６８５２１５に開示されており、それはタンポンが腟壁に与える毛管吸引圧力を減じて過剰の月経流体を除去しながら、生じうる腟の乾きを制限する。これは、使用中に吸収剤芯を腟壁から離すために多分疎水性の複数のカバー層を使用することにより達成される。この進歩は意義あるが、タンポンの外表面はかなり乾いているようである。
【０００８】
従って、要求されることは扁平上皮からの自然水分の過剰な引き込みを回避するような減じられた吸引圧力を有し且つ使用中全体にわたり湿った外表面を保って月経用途のための乾いていないタンポンを与えるようなタンポンである。
発明の要旨
タンポン挿入および除去に伴う不快感および苦痛の理解が腟壁を自然に湿った状態に保つタンポンの発明をもたらした。この改良されたカバーの独特な構造が腟壁の自然水分を保つことにより腟の乾きを実質的に減ずる。さらに、多層にされたカバーの外層によりもたらされる滑らかな表面により挿入および除去の快適性をさらに高めることができる。
【０００９】
それ故、本発明は吸収剤構造体および吸収剤構造体を実質的に囲む多層にされたカバーを有するタンポンに関する。カバーは液体を保有できる外層および外層と吸収剤構造体との間に配置された内層を有する。内層が外層と吸収剤構造体との間の流体流の調節された妨害を引き起こす。この妨害により外層は吸収剤構造体の飽和前に腟壁の乾燥／乾きを最少にするのに充分な液体を保有することができる。
好適態様の詳細な記述
図１および２を参照すると、タンポン１０は吸収剤構造体すなわち芯１４を実質的に囲む多層にされたカバー１２、および引き抜き紐１６を含む。図１の態様では、多層にされたカバー１２は丸くされた挿入端部１８は覆っていない。しかしながら、これは別の態様では囲まれていてもよい。多層にされたカバー１２は少なくとも２つの層、すなわち外層２０および少なくとも１つの内層２２、を有する。外層２０は好ましくは使用中のタンポン１０の挿入および除去を助けるために滑らかな表面を与える。１つもしくは複数の内層２２は流体流の調節された妨害を引き起こすような方法で構成される。外層２０と１つもしくは複数の内層２２との間に外層２０中の相対的に小さい孔から１つもしくは複数の内層２２中の相対的に大きい孔への多孔度勾配を作成することにより、調節された妨害を達成してもよい。それはまた、親水性が相対的により大きい外層２０および親水性が相対的により小さい１つもしくは複数の内層２２により達成してもよい。
【００１０】
好ましい態様では、図３に示されているように外層２０を相対的に小さい繊維内孔を形成する相対的に低いデニールの繊維２４から製造することができる。これらの低いデニールの繊維２４は親水性である。親水度を測定するための数種の認可された試験がある。１つのそのような試験は水との接触角である。好ましくは、繊維は約９０°より小さい水中での接触角を有する。それらは例えば合成セルロース系繊維および重合体状繊維の如く合成性であってもよく、またはそれらは例えば木綿、木材パルプ、羊毛、絹などの如く天然性であってもよい。有用な合成セルロース系繊維はレーヨンおよびリオセル(lyocell)を包含する。有用な重合体状繊維は二成分繊維、ポリオレフィン繊維、ポリエステル繊維、ポリアミド（ナイロンを含む）、ポリアクリル系などを包含する。繊維がそれ自体親水性でない場合には、それらは適当な処理および／または仕上げ剤により親水性にすることができる。
【００１１】
１つもしくは複数の内層２２は、図３に示されているように相対的に大きい繊維内孔を形成する比較的高いデニールの繊維２６から製造することができる。これらの比較的高いデニールの繊維２６は親水性であり、そしてそれらは外層２０の低いデニール繊維２４より親水性が小さくてよい。外層２０に関して以上で記載されたものと同じ一般的な範疇の繊維を１つもしくは複数の内層２２用に使用してよい。ここでも、繊維がそれ自体親水性でない場合には、それらは適当な処理および／または仕上げ剤により親水性にすることができる。
【００１２】
１つより多い内層２２が使用される場合には、追加の層は第一の内層２２が以下に記載されているような外層２０と吸収剤構造体１４との間の「流体連結性」を妨害する能力と相容性であるべきである。好ましくは、追加の内層は第一の内層と同様な孔寸法またはそれより大きい孔寸法を有する。
【００１３】
１つもしくは複数の内層２２は開口部のある(apertured)フィルムから製造されてもよい。これらの開口部のあるフィルムは例えばマッチングリー(Mattingly),III他の米国特許第４,６９０,６７９号に一般的に記載されているような二次元フィルムであってもよいが、好ましくはそれらは例えばトンプソン(Thompson)の米国特許第３,９２９,１３５号に一般的に記載されているような三次元フィルムである。
【００１４】
本発明の多層にされたカバー１２は、例えばポリエチレン／ポリエステル二成分繊維の如き相対的に高いデニールの繊維の第一のウェブまたは該繊維と例えばポリエステルの如き他の弾性繊維との混合物を移動するベルトまたはスクリーン上でけばだて加工することにより製造できる。この第一ウェブが内層２２を形成するであろう。比較的低いデニールの繊維の第二のウェブを次に移動する第一のウェブ上でけばだて加工することができる。この第二のウェブが外層２２を形成するであろう。生じた多層にされた不織ウェブを次に、ウェブおよび移動するベルトの中に熱空気を引き込むことにより、熱的に結合させることができる。この通気(through-air)結合は、多層にされた不織ウェブを実質的に囲むために置かれた第二拘束ベルトを用いる二重ベルトシステムで、またはそのような拘束ベルトの不存在下で単一ベルトシステムで、行うことができる。一般的なベルト、例えば４０×４０メッシュ、を使用してけばだて加工したウェブを運ぶことができる。しかしながら、例えば８０×８０または１００×１００の如きより細かいメッシュのベルトはより滑らかな布表面を製造することができ、そして例えば２０×２０の如きより粗いメッシュのベルトはより実用性のない布層を製造することができる。
【００１５】
内および外層を積層、熱結合点結合、針−穿孔、水力絡み合い(hydroentangled)、接着剤などにより組み合わせることにより種々の多層にされたカバーを製造することができる。これは例えば開口部のあるフィルムを有する不織布、フォームを有する不織布などの如き異なる層を組み合わせるために必要であるかもしれない。
【００１６】
別の態様では、多層にされたカバー１２は多層にされたまたは多領域にされたフォーム構造体１２′から製造される。この態様では、外層２０′は相対的に小さい孔２４′を有するが、内層２２′は相対的に大きい孔２６′を有する。このタイプのフォームは、フォーム成分並びにフォーム形成工程条件、例えば粘度、温度、発泡剤の量および界面活性剤、を最適化し且つ選択的に調節することにより作成することができる。フォーム中の孔寸法勾配は、別個の分離している層を組み合わせることにより得られるものより漸進的なものであってよい。しかしながら、発泡した材料の複数の層を、例えば積層により、組み合わせてもよい。
【００１７】
或いは、１つもしくは複数の内層２２だけとしてオープンセルフォームを使用することもできる。好ましくは、フォームは１線状インチ当たり約３０〜約６０個の孔（ｐｐｉ）を有する。フォーム材料は本発明にとって重要ではなく、そして有用なフォームの例示用の非限定リストはポリウレタン、ポリ（ビニルアルコール）、セルローススポンジなどを包含できる。ポリウレタンを処理して所望する親水度を与えることができるが、ポリ（ビニルアルコール）は元々親水性である。そのようなフォームは例えば米国、ペンシルバニア州、エディストーンのフォーメックス(Foamex)の如き供給業者から市販されている。
【００１８】
不織材料の平均孔寸法を測定するために有効な多くの利用可能な技術がある。これらの技術は米国、ニュージャージー州、プリンストンのテキスタイル・リサーチ・インスティテュート(Textile Research Institute)で開発された液体排除セルの使用を包含する。この技術は、引用することにより本発明の内容となる Miller et al., ”An Extended Range Liquid Extrusion Method for Determining Pore Size Distributions”, Textile Research Journal, Vol 56, pp. 35-40 (1986) に記載されており、そして引用することにより本発明の内容となる Cohen, ”A Wet Pore-Size Model for Coverstock Fabrics”, Book of Papers: The International Nonwoven Fabrics Conference, INDA-TEC’90, Association of the Nonwoven Fabrics Industry, pp. 317-330 (1990)ではそれを使用して数学的モデルを得て不織布の平均孔寸法を予測した。このモデルを基にして、下記の式を明細書で報告されている平均孔寸法の測定において使用した：
【数１】
0004306959.tif 000002
［式中、ｒは平均孔半径であり、
ａは繊維半径であり、
ｘは分数であり、
ｘiは乾いた布密度対湿った布密度の比であり、
ρｆは繊維密度であり、
ρｗは乾いた布密度であり、そして
ｔは湾曲パラメーターである］。
コーヘン(Cohen)の研究に基づくと、比１.２がｘ用に選択され、そして１.４４がｔとして選択された。
【００１９】
カバー層の孔寸法を測定するための別の手段は、以下の実施例１に記載されている像分析法による開放面積(open area)の測定および引用することにより本発明の内容となるチェン(Chen)他の米国特許第５,０３７,４０９号に記載されている「ＥＣＤ」の測定を包含する。最適な測定法は層のタイプおよび厚さにより影響されるであろう。
【００２０】
多層にされたカバー１２は好ましくは約２０ｇ／ｍ2（ｇｓｍ）〜約８０ｇｓｍ、より好ましくは、約３０ｇｓｍ〜約６０ｇｓｍ、そして最も好ましくは、約３５ｇｓｍ（１オンス／ヤード2）〜約５０ｇｓｍ、の基準重量を有する。外層２０は湿った表面を与えるのに充分な吸収剤能力を与えるのに充分な厚さでなければならないが、吸収剤構造体１４中への流体の移動を妨害するのに充分なほど厚くてはならない。
【００２１】
１つもしくは複数の内層２２は、流体連結性を中断するのに充分な外層２０と吸収剤構造体１４との間の分離を与えるのに充分な厚さでなければならないが、外層２０が流体飽和に到達するかまたはそれを越える時には流体連結性を妨害するのに充分なほど厚くてはならない。好ましくは、繊維質外層の厚さ対繊維質内層の厚さの比は約１：１〜約１：４の間、より好ましくは約１：２〜約１：３の間、である。
【００２２】
上記のように、カバー１２は吸収剤構造体１４を実質的に囲む。カバー１２が使用中に腟壁（Ｖ）と接触しうる吸収剤構造体１４の表面のほとんどの上に存在することが好ましい。これは図５に示されており、それは一部の月経流体を吸収した後の膨張した状態の使用中の本発明に従うタンポン１０を示す。カバー１２が半球形にされた挿入端部１８または取り出し端部２８を囲むことは、これらの表面はタンポン１０と腟壁（Ｖ）との間の接触用の極少表面積を供するため、必要ない。
【００２３】
カバー１２は吸収剤構造体１４と物理的に接していてもよくまたはそれは吸収剤構造体１４を完全に囲む袋を単に形成してもよい。前者の例は、引用することにより本発明の内容となるフリース(Friese)の米国特許第４,８１６,１００号に開示されているように吸収剤構造体１４の外表面に熱結合することによる、引用することにより本発明の内容となるウィリアムズ(William's)のＷＯ９５／１６４２３に開示されているように吸収剤構造体１４の内部中にカバー１２の一端を埋め込むことによる、引用することにより本発明の内容となるブラウン(Brown)の米国特許第５,１８５,０１０号に開示されているように吸収剤構造体１４を形成するために巻かれている銀の周りにカバー１２の少なくとも一部を折り畳むことによる、引用することにより本発明の内容となるヒンズマン(Hinzmann)他の米国特許第５,００４,４６７号に開示されているようにカバー１２を吸収剤構造体１４の周りに包装することによる、カバー１２および吸収剤構造体１４を一緒に針−穿孔することによる、そしてカバー１２および吸収剤構造体１４を組み合わせてタンポン１０を形成する他の方法または構成によるものであってよい。
【００２４】
吸収剤芯１４の構造は本発明の実施に関しては重要でない。好ましくは、吸収剤芯１４は引用することにより本発明の内容となる１９９０年１０月１２日に出願された米国特許出願番号０７／５９６,４５４に相当するＥＰ４２２,６６０に記載されているような螺旋状に巻かれた芯である。本発明の実施において使用できる他の吸収剤構造体１４は、「タンパックス(TAMPAX)」、「プレイテックス(PLAYTEX)」および「コーテックス(KOTEX)」として市販されているタンポン構造体を包含する。これらのタンポン構造体は天然および／または合成繊維を包含する繊維質であるが、フォーム、膨潤性材料、例えば超吸収剤、などを包含する他の材料を吸収剤構造体１４の中で使用することもできる。好ましくは、吸収剤構造体１４は吸収剤セルロース系繊維３０、例えば木綿および／またはレーヨン、を含有する。これらの繊維は吸収性であり且つ一般的に低いデニールを有するかまたは一般的には繊維間に小さい孔および／または毛管を作成して月経流体を吸収しそして含有するための繊維断面を有する。それ故、吸収剤構造体１４は吸収された流体をしっかり含有する。
【００２５】
外層２０中の相対的に小さい孔が小さい受器を与えそして１つもしくは複数の内層２２中の相対的に大きい孔が外層２０と主要流体受器である吸収剤構造体との間の「流体連結性」を妨害する機構を与えることが信じられる。この現象は図６に示されている。この流体断続により、タンポン１０の表面は非常に少量の流体で急速に実質的に飽和されはじめる。外層２０は大きな吸収剤能力を有していないため、月経周期の少ない流量の日に使用される時には腟壁を干上がらせないようである。
【００２６】
しかしながら、図６に矢印により（ａ）および（ｂ）で示されているように、外層２０のある領域が飽和されそしてこの領域内の実質的に全ての孔が流体で充填されるにつれて臨界的な破壊点に達することが信じられる。臨界的破壊直後に、流体は１つもしくは複数の内層の中に「溢流する」。流体は１つもしくは複数の内層２２のより大きい孔の中でより速く進むことができ、そして（ｃ）で下向きの矢印により示されているように、それを吸収剤構造体１４に直接移してカバー１２の外層２０と吸収剤構造体１４との間の流体連結性を与えることができる。
【００２７】
さらに、吸収剤構造体１４のすぐ隣の容積がすでに流体を吸収した場合には、（ｃ）でより水平な矢印により示されているように新たに受容された流体はカバー１２の１つもしくは複数の内層２２に沿って吸収剤構造体１４の相対的に使用されていない容積まで進むかもしれない。流体が小さい妨害孔または微細毛管を有する芯の吸収剤繊維３０に達する時に、流体は図６中の（ｄ）で吸収剤構造体１４の中に実質的に「固定」されはじめる。吸収剤構造体１４が流体を１つもしくは複数の内層２２から除去するにつれて、流体連結性は妨害されることが可能となり、そして吸収剤構造体１４により与えられる毛管吸引が腟壁（Ｖ）に直接作用するのを妨害する。外層２０と吸引剤構造体１４との間の流体連結性を制定しそして次に妨害するこの方法はタンポン１０の使用中に多数回繰り返すことができる。それ故、外層２０、１つもしくは複数の内層２２および吸収剤構造体１４の相互作用がチェック弁を有するポンプのような作用により腟壁（Ｖ）を自然に湿った状態に保つことが信じられる。「ポンプ」に外層２０と吸収剤構造体１４との間の連続的なカラムまたは液体流が充填される時には、液体は吸収剤構造体１４の中に流れるであろう。しかしながら、この方法が１つもしくは複数の内層２２を実質的に排液する時には、流体の非連結がある。たとえ吸収剤構造体１４が大きい追加能力を有していたとしても、外層２０との流体連結性がないため、構造体１４が流体を引き込むことはできない。
【００２８】
本発明のタンポンは適用具もしくは挿入具と共に使用することもでき、またはそれらを適用具なしに指により挿入してもよい。
実施例
本発明の多層にされたカバーの組成、形態および製造方法を説明する下記の具体的な実施例の参照により、本発明はさらに理解されるであろう。カバーの組成、形態および製造方法の多くの変更は当業者に明らかであろうことを理解すべきである。下記の実施例は説明用だけであり、部数および百分率は断らない限り重量による。
実施例１
８.５ｇｓｍの３デニール二成分カバーを有する市販のタンポンであるｏ.ｂ.TMスーパー・アブソーベンシー(Super Absorbency)、４０ｇｓｍの多層にされたカバーを有する本発明に従う同様に構成されたタンポン（「タンポンＡ」）、および４０ｇｓｍの３デニール二成分カバーを有する同様に構成されたタンポン（「タンポンＢ」）を性能差を比較するために試験した。４０ｇｓｍの多層にされたカバーは１００重量％の３デニール二成分（ポリエチレンテレフタレート上のポリエチレン（ＰＥ／ＰＥＴ））の外層（カバーの約５５重量％）並びに６６重量％の１５デニールＰＥＴおよび３４重量％の１０デニールＰＥ／ＰＥＴ二成分繊維の内層（カバーの約４５重量％）を有しそして二重ベルト通気結合方法で作成された。
【００２９】
開放面積％を使用してタンポンＡの２つの層の相対的多孔度を推定することができる。各層の開放面積％をトップライト、顕微鏡写真装置およびイメージプロ(ImagePro)TMプラスコンピューター分析プログラムを用いて測定した。当該層に焦点をあてそして状態を他の層からの妨害を最少にするように調節することにより各面を分析した。内層および外層の開放面積に関する結果はそれぞれ１７.９％（標準偏差３.２％）および５９.３％（標準偏差５.０％）であった。
【００３０】
最初に、タンポンの断面をゴム台にタンポンの約１ｍｍを露呈させて設置しそしてドラムモンド・ワイヤートラル(Drummond Wiretral)１０マイクロリットル毛管分配システムを用いて合成月経流体を加えながら７５倍の倍率で試験した。２−３滴の流体を各サンプルに加え（１滴は約２マイクロリットルであった）そしてサンプル内で平衡に達するようにした。５分後に、流体がタンポンＡのカバー外層中で見られ、そして内側のカバー層は相対的にきれいであった。対照的に、市販のタンポンおよびタンポンＢでは吸収剤芯の中に幾分かの流体のウイッキング(wicking)があった。
【００３１】
少ない流吸収のシミュレーションでは、吸取紙を新しいタンポン断面（２０ｍｍ長さ）の周りに巻きそしてタンポン区域の頂部から約２ｍｍのところで＃８ゴムバンドで固定した。流体の溢流を防止するために、吸取紙の上端部はタンポン区域の真上まで伸びていた。合成月経流体を２０マイクロリットル毛管を用いて吸取紙に加えた。最初に、２０マイクロリットルを加えそして吸収させた。第二の２０マイクロリットル追加分の流体を加えて吸取紙を飽和させた。吸取紙を圧縮して流体がカバーから芯へ突破するかどうかを測定した。最後に、さらに２０マイクロリットルを加えて吸取紙を過飽和させた。工程の観察事項は記録された。
【００３２】
タンポンＡ、タンポンＢ、または市販のタンポンのいずれも、外部の圧力なしでは流体を吸取紙から芯の中へ吸収しなかった。外部の圧力を用いると、市販のタンポンカバーおよびタンポンＢは流体を吸収剤芯の中にウイッキングで吸引した。対照的に、タンポンＡの外層は流体で充填されはじめたが、内層は流体が即座に吸収剤芯の中へウイッキングで入るのを防止した。内層が流体で充填されはじめた後にのみ、流体が芯の中にウイッキングで入る。流体を誘導して芯の中に吸収させるのためにはさらに大きい圧力が必要であった。より高い流体追加水準の間には、全ての３種のタンポンはカバーを通る芯の中への流体の同様に急速なウイッキングを示した。
実施例２
４５°角流出試験を、カバー材料が上に置かれた吸取紙の片を用いて行った。食塩水流体を一定速度でビュレットから試験サンプル上に流体が流出するまで加えた。下記のサンプルを試験した：８.５ｇｓｍの３デニール二成分カバー（対照）、外層中に１００重量％の３デニールＰＥ／ＰＥＴ二成分繊維を有しそして内層中に５０重量％の１５デニールＰＥＴおよび５０重量％の１０デニールＰＥ／ＰＥＴ二成分繊維を有する４０ｇｓｍの単一ベルトカバー、外層中に１００重量％の３デニールＰＥ／ＰＥＴ二成分繊維を有しそして内層中に６６重量％の１５デニールＰＥＴおよび３４重量％の１０デニールＰＥ／ＰＥＴ二成分繊維を有する４０ｇｓｍの二重ベルトカバー。後者の２種の材料は本発明の例である。結果を以下に示す：
【００３３】
【表１】
0004306959.tif 000003
【００３４】
結果の概観は、本発明に従うカバーによる流出時間における意義ある増加および増加した流体保持能力を示す。
【００３５】
以上の記述および実施例はここに開示されている本発明の完全で且つ非−限定的な理解を助けるために示されている。本発明の多くの変更および態様をその精神および範囲から逸脱せずに行うことができるため、本発明は添付されている請求の範囲にある。
【図面の簡単な説明】
【図１】  本発明に従うタンポンの透視図である。
【図２】  図１の線２−２に沿う断面図である。
【図３】  図２の断面図の一部の拡大図である。
【図４】  発泡カバーを使用する本発明の別の態様の拡大図である。
【図５】  使用中の本発明に従うタンポンの側面図である。
【図６】  本発明に従うタンポン中の流体流の線図である。
【図１】
0004306959.tif 000004
【図２】
0004306959.tif 000005
【図３】
0004306959.tif 000006
【図４】
0004306959.tif 000007
【図５】
0004306959.tif 000008
【図６】
0004306959.tif 000009